(57)【特許請求の範囲】
【請求項１】
直接熱交換器で用いるための充填材シート装置であって、
第１充填材シートが、
第１側縁部と、
第２側縁部と、
上縁部および下縁部と、
前面および後面と、
を有する略矩形の構造を備え、
第２充填材シートが、
第１側縁部と、
第２側縁部と、
上縁部および下縁部と、
前面および後面と、
を有する略矩形の構造を備え、
前記第２充填材シートは、前記第１充填材シートと隣り合っており、
前記第１充填材シートは、複数の畝部および溝部を含み、
前記第２充填材シートは、複数の畝部および溝部を含み、
前記第１充填材シートと前記第２充填材シートとが、前記直接熱交換器内で隣り合っているときに、
前記第１充填材シートの前記後面上の畝部が、前記第２充填材シートの前記前面上の畝部と隣り合って、小空気通路を形成し、
前記第１充填材シートの前記後面上の溝部が、前記第２充填材シートの前記前面における溝部と隣り合って、大空気通路を形成し、
前記第１充填材シートの前記後面上の畝部から前記小空気通路内へと第１雄側セパレータが伸びており、
前記第２充填材シートの前記前面上の畝部の上に第１雌側セパレータが存在しており、
前記第１充填材シートの前記後面上の前記第１雄側セパレータが、前記第２充填材シートの前記前面上の前記第１雌側セパレータに接触しており、
前記第１充填材シートは、前記複数の畝部および溝部と前記第２側縁部との間の移行区域を含み、
前記移行区域は、複数の隆起リブおよび隣り合う流路を備え、
前記第１充填材シートは、前記移行区域と前記第２側縁部との間にミストエリミネータを含み、
前記ミストエリミネータは、前記第１充填材シートの前記略矩形の構造から隆起した湾曲構造を備えると共に、複数の隆起部分および隣り合う沈下部分を含み、
前記移行区域の前記複数の隆起リブおよび隣り合う流路の間隔が、前記ミストエリミネータの前記複数の隆起部分および隣り合う沈下部分の間隔よりも大きい、充填材シート装置。
【請求項２】
前記第１充填材シートの前記後面上の畝部から前記小空気通路内へと第２雄側セパレータが伸びており、
前記第２充填材シートの前記前面上の畝部の上に第２雌側セパレータが存在しており、  
前記第１充填材シートの前記後面上の前記第２雄側セパレータが、前記第２充填材シートの前記前面上の前記第２雌側セパレータに接触している、請求項１記載の充填材シート装置。
【請求項３】
前記第１充填材シートは、前記第１側縁部と隣り合う吸気口ルーバー区域を含み、
前記吸気口ルーバー区域は、前記第１充填材シートの前記畝部を形成するように導く、複数の次第に丸みの付けられる表面を備えている、請求項１記載の充填材シート装置。
【請求項４】
前記第１充填材シートの前記後面上の前記畝部は、複数の隆起部分および隣り合う沈下部分を含んでおり、
前記第１充填材シートの前記後面上の前記畝部における前記隆起部分および隣り合う沈下部分は、前記第１充填材シートの平面より、２０から３０度の間の角度で傾斜している、請求項１記載の充填材シート装置。
【請求項５】
前記第１充填材シートの畝部と溝部との間を伸びる部分が、垂直方向より４０から４５度の間の角度にある、請求項１記載の充填材シート装置。
【請求項６】
前記第１充填材シートの後面上の畝部から雄側セパレータが伸びており、
前記雄側セパレータは、前記小空気通路内へと伸びており、
前記隣り合う第２充填材シートの前記前面における畝部の上に、対応する雌側セパレータがある、請求項１記載の充填材シート装置。
【請求項７】
第１側縁部と、
第２側縁部と、
上縁部および下縁部と、
第１表面および後面と、
を伴った略矩形で略平板状の構造を有する第１充填材シートと、
第１側縁部と、
第２側縁部と、
上縁部および下縁部と、
前面および後面と、
を伴った略矩形で略平板状の構造を有する第２充填材シートと、
を備えた、熱交換器用の充填材シート装置であって、
前記第２充填材シートは、前記第１充填材シートと隣り合っており、
前記第１充填材シートは、複数の畝部および溝部を含み、
前記第２充填材シートは、複数の畝部および溝部を含み、
前記第１充填材シートの前記後面上の畝部が、前記第２充填材シートの前記前面上の畝部と隣り合って、小空気通路を形成すると共に、前記第１充填材シートの前記後面上の溝部が、前記第２充填材シートの前記前面上の溝部と隣り合って、大空気通路を形成し、
前記第１充填材シートの前記後面上の畝部から前記小空気通路内へと第１雄側セパレータが伸びており、
前記第２充填材シートの前記前面上の畝部の上に第１雌側セパレータが存在しており、  前記第１充填材シートの前記後面上の前記第１雄側セパレータが、前記第２充填材シートの前記第１表面上の前記第１雌側セパレータに接触しており、
前記第１充填材シートは、前記複数の畝部および溝部と前記第２側縁部との間の移行区域を含み、
前記移行区域は、複数の隆起リブおよび隣り合う流路を備え、
前記第１充填材シートは、前記移行区域と前記第２側縁部との間にミストエリミネータを含み、
前記ミストエリミネータは、前記第１充填材シートの前記略平板状の構造から隆起した湾曲構造を備えると共に、複数の隆起部分および隣り合う沈下部分を含み、
前記移行区域の前記複数の隆起リブおよび隣り合う流路の間隔が、前記ミストエリミネータの前記複数の隆起部分および隣り合う沈下部分の間隔よりも大きい、充填材シート装置。
【請求項８】
前記第１充填材シートの前記後面上の畝部から前記小空気通路内へと第２雄側セパレータが伸びており、
前記第２充填材シートの前記前面上の畝部の上に第２雌側セパレータが存在しており、
前記第１充填材シートの前記後面上の前記第２雄側セパレータが、前記第２充填材シートの前記前面上の前記第２雌側セパレータに接触している、請求項７記載の充填材シート装置。
【請求項９】
前記第１充填材シートは、前記第１側縁部と隣り合う吸気口ルーバー区域を含み、
前記吸気口ルーバー区域は、前記第１充填材シートの前記畝部を形成するように導く、複数の次第に丸みの付けられる表面を備えている、請求項７記載の充填材シート装置。
【請求項１０】
前記第１充填材シートの前記後面上の前記畝部は、複数の隆起部分および隣り合う沈下部分を含んでおり、
前記第１充填材シートの前記後面上の前記畝部における前記隆起部分および隣り合う沈下部分は、前記第１充填材シートの平面より、２０から３０度の間の角度で傾斜している、請求項７記載の充填材シート装置。
【請求項１１】
前記第１充填材シートの畝部と溝部との間を伸びる部分が、垂直方向より４０から４５度の間の角度にある、請求項７記載の充填材シート装置。
【請求項１２】
前記第１充填材シートの前記後面上の畝部から雄側セパレータが伸びており、
前記雄側セパレータは、前記小空気通路内へと伸びており、
前記隣り合う第２充填材シートの前記前面における溝部の上に、対応する雌側セパレータがある、請求項７記載の充填材シート装置。
【請求項１３】
前記大空気通路の多数の内部における前記複数の隆起部分および隣り合う沈下部分が、空気と液体との間の熱および質量の伝達を向上させるように、前記大空気通路内を進む空気の４分の３を一方向に回転させるとともに、前記大空気通路内を進む空気の４分の１を反対方向に回転させるように構成されている、請求項４記載の充填材シート装置。
【請求項１４】
前記大空気通路の少数の内部における前記複数の傾斜した隆起部分および隣り合う傾斜した沈下部分が、空気と液体との間の熱および質量の伝達を向上させるように、前記大空気通路内を進む空気を対の螺旋状に回転させる、請求項４記載の充填材シート装置。
【請求項１５】
前記大空気通路の多数の内部における前記複数の傾斜した隆起部分および傾斜した隣り合う沈下部分が、空気と液体との間の熱および質量の伝達を向上させるように、前記大空気通路内を進む空気の４分の３を一方向に回転させるとともに、前記大空気通路内を進む空気の４分の１を反対方向に回転させるように構成されている、請求項１０記載の充填材シート装置。
【請求項１６】
前記大空気通路の少数の内部における前記複数の隆起部分および隣り合う沈下部分が、空気と液体との間の熱および質量の伝達を向上させるように、前記大空気通路内を進む空気を対の螺旋状に回転させる、請求項１０記載の充填材シート装置。
【請求項１７】
前記第１充填材シートの前記後面の畝部から前記小空気通路内へと殆ど前記大空気通路の外を伸びる充填材シート・タブセパレータが、前記第１充填材シートと隣り合う前記第２充填材シートとの間に間隔を置くのを補助する、請求項１記載の充填材シート装置。
【請求項１８】
前記第１充填材シートの前記後面の畝部から前記小空気通路内へと殆ど前記大空気通路の外を伸びる充填材シート・タブセパレータが、前記第１充填材シートと隣り合う前記第２充填材シートとの間に間隔を置くのを補助する、請求項７記載の充填材シート装置。
【発明の詳細な説明】
【技術分野】
【０００１】
本発明は、冷却塔の直接熱交換部分内で利用される、熱・質量伝達媒体、ないしは充填材シート装置に関する。より特定的には、本発明は、冷却塔とすることができるであろう直接熱交換ユニット内で用いるための充填材シートに関する。
【背景技術】
【０００２】
熱・質量伝達媒体、ないしは充填材シート装置は、一般的に垂直な向きにされる。それは、蒸発性液体（通常は水）が、材料上を進んで、通常は下方へ流れ、空気の流れが、通常は横断方向に向けられるが、潜在的には間隔を置かれた充填材シート直接冷却部分を通る並流や直交流の向きにされる状態においてである。空気は、熱および質量の伝達のために蒸発性液体と相互作用を行う。
【発明の概要】
【発明が解決しようとする課題】
【０００３】
本発明の熱・質量伝達媒体ないしは充填材シート装置は、空気流路を画成する互いに隣り合った充填材のシートを提供することによって、直接熱交換器の熱効率を向上させるものである。
【課題を解決するための手段】
【０００４】
そのような空気流路は、隣り合う充填材シート同士の間の大空気通路の外側に設置される、当該充填材シート上の雄側と雌側の両方のセパレータを利用することにより、特に効率的なものとなっている。各充填材シートは、一連の畝部および溝部で構成されるが、それは第１充填材シート溝部の後面と、隣り合う第２充填材シート溝部の前面との間に大空気通路が設置される状態にてである。小空気通路が、第１充填材シート畝部の後面と、隣り合う第２充填材シート畝部の前面との間に設置される。各セパレータを小空気通路内に配置することによって、直接熱交換器における改善された空気の流れ、従って改善された熱および伝達がもたらされる。
【０００５】
第１充填材シート溝部の後面と、隣り合う第２充填材シート溝部の前面との間に設置される大空気通路内では、傾斜した隆起部分および傾斜した沈下部分が、空気が媒体を横切って通る際に様々なやり方で空気の回転を促し、熱および質量の伝達率を向上させる。本発明による直接熱交換器における第１充填材シートおよび隣り合う第２充填材シートと関連したその他の改良には、各充填材シートの複数の畝部および溝部と、各充填材シートの排気口側の縁部との間に設置される、充填材シート装置から空気を出すための移行区域が含まれる。そのような移行区域は、（典型的には充填材シート装置の第２の、即ち排気口側の縁部と隣り合う）ミストエリミネータ（ミスト除去器）に到達する蒸発性液体の量を減少させる。
【０００６】
本発明の充填材シート装置と関連したもう一つの改良は、充填材シート装置の吸気口、即ち第１側縁部に隣り合う吸気口ルーバー区域である。各充填材シートの隆起した各畝部を形成するように導く、複数の次第に隆起する表面で構成された吸気口ルーバー区域を、各充填材シートが含んでいるのである。
【図面の簡単な説明】
【０００７】
【図１】本発明の実施形態による第１充填材シートの側面図。
【図２】本発明の実施形態による第２充填材シートの斜視側面図。
【図３】本発明の実施形態による、第２充填材シートと隣り合う第１充填材シートの一部の模式図。
【図４】本発明の実施形態による、第２充填材シートの一部と隣り合う第１充填材シートの一部の模式図。
【図５】本発明の実施形態による、移行区域およびミストエリミネータを示す第１充填材シートの部分図。
【図６】本発明の実施形態による、吸気口ルーバー区域を示す第１充填材シートの部分図。
【図７】本発明の実施形態による、畝部および溝部を、当該畝部および溝部における隆起部分および隣り合う沈下部分と共に示す、第１充填材シートの部分図。
【図８】本発明の実施形態による、雄側および雌側セパレータを示す第１充填材シートの部分斜視図。
【図９】本発明の実施形態による、第２充填材シートの一部と隣り合う第１充填材シートの一部の模式図。
【図１０Ａ】本発明の実施形態による、第２充填材シートの一部と隣り合う第１充填材シートの一部の模式図。
【図１０】本発明の実施形態による、雄側および雌側インデクサを示す第１充填材シートの部分斜視図。
【図１１】本発明の実施形態による、タブセパレータを示す第１充填材シートの部分側面図。
【発明を実施するための形態】
【０００８】
図１を参照すると、第１充填材シートが符号１０で示されている。第１充填材シート１０は、略矩形で略平板状の構造であるように示されているが、取付の設計のニーズに基づいて、第１充填材シート１０は正方形や台形の構造であってもよい、ということを理解されたい。第１充填材シート１０は、上縁部１６、下縁部１８、第１側縁部１２、および第２側縁部１４を備えているのが分かる。一般的に、直接熱交換ユニット内に（或いは冷却塔の構成要素として）備え付けられたとき、蒸発性液体（通常は水）が、上縁部１６へと、そして第１充填材シート１０を横切って下方に流れ、下縁部１８から出て行く。第１側縁部１２は典型的には吸気口縁部であり、そこから空気が、蒸発性液体の下降流に対する直交流で押込まれ、或いは吸込まれ、第２側縁部１４から出て行く。そのような蒸発性液体の下降流と直交流の空気流との組合わせは、熱と質量の両方の伝達作用によって蒸発性液体から熱を取り去るように働く。空気流は、直接熱交換ユニットの設計に応じて、蒸発性流体の下降流と、やや向流であっても共並流であってもよい、ということを理解されたい。
【０００９】
各第１充填材シート１０は通常、プレス、真空成形、または成型作業にて形成された、ポリ塩化ビニル、ポリプロピレン、その他の任意のプラスチック・シートで構成される。第１充填材シート１０の第２側縁部１４の内側に、ミストエリミネータ５８が設置されていることが分かる。第１充填材シート・ミストエリミネータ５８は、第２側縁部１４から蒸発性液体が出て行かないように、ないしは、少なくとも相当量の蒸発性液体が出て行かないように作用し、第１充填材シート１０を下方へ横切る蒸発性液体の大半の流れを保つのを補助する。
第１充填材シート１０はまた、第１側縁部１２から第２側縁部１４へと長さ方向に伸びる畝部３２を備えているのが分かる。第１充填材シート畝部３２と交互に現れるのが第１充填材シート溝部３４であり、それらの溝部３４もまた第１側縁部１２から第２側縁部１４へと第１充填材シート１０を横切って伸びている。
【００１０】
第１充填材シート１０はまた、第１充填材シート１０の表面から上向きに伸びる第１雄側セパレータ４４を備えているのが分かる。更に説明すると、第１雄側セパレータ４４は典型的には、第１充填材シート１０の後面上における第１充填材シート畝部３２の上に設置されている。
【００１１】
第１充填材シート１０の後面は、各畝部が一連の傾斜した隆起部分３３を含んでいるようになっているのが分かる。それらの隆起部分３３は、上縁部１６に面した畝部３２の縁部から上向きに傾斜すると共に、下縁部１８に面した第１充填材シート畝部３２の縁部からは異なる同位角を有している。各隆起部分３３と隣り合っているのが沈下部分３５であり、その沈下部分３５は、それぞれの隣り合う隆起部分３３と同様の傾斜配置を有している。
【００１２】
ここで図２を参照すると、第２充填材シート２０は、その第２充填材シート２０も上縁部２６、下縁部２８、第１側縁部２２、および第２側縁部２４を有した略矩形で略平板状の構造である点において、第１充填材シート１０と全く同様であるのが分かる。
【００１３】
第２充填材シート２０は、プレス、真空成形、または成型作業にて形成された、ポリ塩化ビニル、ポリプロピレン、その他の任意のプラスチック・シートで構成される点で、この場合もまた第１充填材シート１０と全く同様ないしは同一である。更に、第２充填材シート２０は、第２充填材シート２０の前面および第２充填材シート上の第２充填材シート畝部３６と、第２充填材シートと、第２充填材シート２０の前面上の隣り合う第２充填材シート溝部３８とを備えているのが分かる。第２充填材シート２０はまた、概して第２充填材シート畝部３６の上に存在する第１雌側セパレータ４６を、同様の第２充填材シート第２雌側セパレータ５０と共に備えているのが分かる。更に説明すると、第１充填材シート第１雄側セパレータ４４が第１充填材シート１０の後面から伸びて、第２充填材シート第１雌側セパレータ４６が第２充填材シート２０の前面上にある状態で、第１充填材シート第１雄側セパレータが第２充填材シート第１雌側セパレータに接触する。同様に、第１充填材シート第２雄側セパレータ４８が第１充填材シート１０の後面から接して伸びて、第２充填材シート前面上に設置された第２充填材シート第２雌側セパレータ５０に接触する。第２充填材シート２０も同様に、第１側縁部２２から第２側縁部２４へと長さ方向に伸びる一連の畝部と、やはり第１側縁部２２から第２側縁部２４へと長さ方向に伸びる、隣り合う一連の第２充填材シート溝部３８とを有しているのが分かる。
【００１４】
第２充填材シート２０の前面は、各畝部が一連の傾斜した隆起部分３７を含んでいるようになっているのが分かる。それらの隆起部分３７は、上縁部２６に面した畝部３６の縁部から上向きに傾斜すると共に、下縁部２８に面した第１充填材シート畝部３６の縁部からは異なる同位角を有している。各隆起部分３７と隣り合っているのが沈下部分３９であり、その沈下部分３９は、それぞれの隣り合う隆起部分３７と同様の傾斜配置を有している。
【００１５】
実際には、直接熱交換ユニット内の充填材装置が、互いに隣り合って設置される２つの充填材シートで構成され、必要に応じて複数回反復されるであろう。ここで図３および図４を参照すると、第１充填材シート１０の一部が第２充填材シート２０の一部と隣り合っているところの見える模式図が示されている。第１充填材シート第１雄側セパレータ４４が、第１充填材シート１０の後面上の第１充填材シート畝部３２から、第２充填材シート２０の前面上の第２充填材シート畝部３６へ向かって伸びているのが分かる。第１充填材シート第１雄側セパレータ４４は、第２充填材シート第１雌側セパレータ４６に接触して、直接熱交換器内に充填材装置の一部として備え付けられたときに、第１充填材シート１０と第２充填材シート２０との間に設計された間隙を作り出すことが分かる。第１充填材シート１０の後面上の第１充填材シート溝部３４と、第２充填材シート２０の前面上に形成された第２充填材シート溝部３８との間で大空気通路４０が形成される、ということに留意されたい。同様に、第１充填材シート１０の後面上の第１充填材シート畝部３２と、第２充填材シート２０の前面上の第２充填材シート畝部３６との間で小空気通路４２が形成される。かくして、第１充填材シート第１雄側セパレータ４４は、自らが第２充填材シート第１雌側セパレータ４６と接触した状態で、小空気通路４２内へと伸びている、ということを分かることができる。そのような第１充填材シート第１雄側セパレータ４４と第２充填材シート第１雌側セパレータ４６との定置は、大空気通路４０を開けた状態に保つように働く。それは、充填材シート装置の一部として形成される追加の充填材シートを伴った隣り合う第１充填材シート１０および第２充填材シート２０の吸気口縁部から、第１充填材シート１０の第２側縁部１４および第２充填材シート２０の第２側縁部２４（当該各第２側縁部は、充填材装置の排気口縁部とも考えられる）へ外向きに向かう空気流への衝突がより少なくなるようにするためである。
【００１６】
図面の図４を参照すると、第１充填材シート溝部の後面と、隣り合う第２充填材シート溝部の前面との間に位置する大空気通路において、第１充填材シート１０の後面は、傾斜した隆起部分３３および隣り合う沈下部分３５を有し、第２充填材シート２０の前面は、傾斜した隆起部分３９および隣り合う沈下部分３７を有している。図１の第１側縁部１２から第２側縁部１４への方向に空気が進行する際に、傾斜した隆起部分３３および３９、並びに対応する沈下部分３５および３７が空気を螺旋状に回転させる。大空気通路４０において、反時計回り方向に空気を回転させる傾斜した隆起部分３３および３９並びに傾斜した沈下部分３５および３７の数の、時計回り方向に空気を回転させる傾斜した隆起部分３３および３９並びに傾斜した沈下部分３５および３７の数に対する比率は、３対１である。第１側縁部１２から第２側縁部１４へ進行する空気を反時計回りに回転させる傾斜した隆起および沈下部分が、空気を時計回りに回転させる傾斜した隆起および沈下部分よりも３倍多いことで、最初に空気は、反時計回り方向４１に４分の３回転し、時計回り方向４３に４分の１回転する。隣り合う大空気通路４５において空気は、方向４７に４分の３回転し、方向４９に４分の１回転する。次に空気は、対の螺旋５１または５３にて回転する。
【００１７】
ここで図面の図５を参照すると、第１充填材シート１０における第２側縁部１４付近の部分の詳細図が示されている。第１充填材シート・ミストエリミネータ５８が、第２側縁部１４と隣り合う隆起した湾曲部分として示されている。第１充填材シート・ミストエリミネータ５８は、一連の、隣り合う沈下部分６４を伴う傾斜した隆起部分６２で構成されているのが分かる。そのようなミストエリミネータ５８は、充填材シート１０を横切って下方へ流れる蒸発性液体の大部分が第２側縁部１４から出て行かないようにするのを補助する。
【００１８】
同じく図５を参照すると、第１充填材シート移行区域５２が、上縁部１６から下縁部１８まで伸びるように見えており、第１充填材シート畝部３２および第１充填材シート溝部３４から第１充填材シート・ミストエリミネータ５８への移り変わりを形作っている。特に、第１充填材シート移行区域５２は、ミストエリミネータ隆起部分６２およびミストエリミネータ沈下部分６４よりも大きな間隔の、一連の移行区域隆起リブ５４および陥没流路５６で構成されている。そのような移行区域５２は、蒸発性液体の大部分が第１充填材シート１０の側縁部１４から出て行かないようにするのを補助する。
【００１９】
充填材シート装置内に存在する各充填材シートが、そのような移行区域５２およびミストエリミネータ５８を含んでいるであろうということを理解されたく、そのことが第１充填材シート１０に関してミストエリミネータ５８および移行区域５２を記述するはずである。
【００２０】
ここで図６を参照すると、第１充填材シート１０の詳細な一部分が第１側縁部１２と隣り合って示されている。第１側縁部１２と、第１充填材シート畝部３２および第１充填材シート溝部３４との間に、ルーバー区域６６が示されている。そのようなルーバー区域は、各第１充填材シート畝部３２に概して対応した、緩やかに隆起する区域で構成されている。そのようなルーバー区域は、第１側縁部１２を横切って内向きに吸込まれる空気の円滑な配気を補助する。
【００２１】
ここで図７を参照すると、第１側縁部１２付近から第１充填材シート移行区域５２まで長さ方向に伸びる第１充填材シート畝部３２を備えるような第１充填材シート１０が示されている。図７に示す第１充填材シート後面は、各畝部が一連の傾斜した隆起部分３３を含んでいるようになっているのが分かる。それらの隆起部分３３は、上縁部１６に面した畝部３２の縁部から上向きに傾斜すると共に、下縁部１８に面した第１充填材シート畝部３２の縁部からは異なる同位角を有している。各隆起部分３３と隣り合っているのが傾斜した沈下部分３５であり、その沈下部分３５は、それぞれの隣り合う隆起部分３３と同様の傾斜配置を有している。
【００２２】
上縁部１６で始まる傾斜した沈下部分３５が、別の傾斜した沈下部分に連結されて、下縁部１８に達するまで続いている、ということに留意されたい。連結された傾斜した沈下部分２７の一例は、傾斜した沈下部分３５の多数が前方へ傾斜していることを示している。
【００２３】
ここで図８を参照すると、第１充填材シート１０の略平坦な後面から上方へ伸びる雄側セパレータ７２を含むように、第１充填材シート１０後面の詳細図が示されている。各雄側セパレータ７２が第１充填材シート畝部３２から伸びているということも認識されたい。そのような各雄側セパレータ７２の配置は、当該雄側セパレータが図３に示すような小空気通路内へと伸びることを保証している。
【００２４】
ここで図９を参照すると、第１充填材シート１０の一部と、第２充填材シート２０の一部との、第１側縁部１２と第２側縁部２２から見た模式図が示されている。第１充填材シート畝部３２は、第１充填材シート１０の後面上に示されている。第１充填材シート溝部３４から第１充填材シート畝部３２まで伸びる第１充填材シート１０の構成部分の角度Ａが、垂直方向から約４４度の角度Ａにあることが分かる。同様に、第２充填材シート２０に関しては、第２充填材シート２２の前面上の第２充填材シート溝部３８から第２充填材シート畝部３６まで伸びる移行区域は、約４４度の角度Ｂにある。そのような角度は、隣り合う第１充填材シート１０と第２充填材シート２０とを横切って下方へ落下する蒸発性液体の適切な配液と暴露とを保証するように選択されている。
【００２５】
ここで図１０Ａを参照すると、第１充填材シート１０の一部の第１充填材シート畝部３２と、第２充填材シート２０の一部の第２充填材シート畝部３６との、上縁部１６から見た模式図が示されている。傾斜した沈下部分３５から傾斜した隆起部分３３まで伸びる第１充填材シート１０の構成部分の角度Ｃが、上縁部１６から下縁部１８まで伸びる充填材平面２９より２０から３０度の間の角度Ｃにあることが分かる。同様に、傾斜した沈下部分３７から傾斜した隆起部分３９まで伸びる第１充填材シート１０の構成部分の角度Ｄが、上縁部２６から下縁部２８まで伸びる充填材平面３１より２０から３０度の間の角度Ｄにあることが分かる。
【００２６】
ここで図１０を参照すると、付加的な第１充填材シート雌側インデクサ（位置合わせ体）７６が示されている。その雌側インデクサ７６は、第１充填材シート溝部３４の区域内で第１充填材シート１０の後面から伸びている。また、第１充填材シート製作インデクサ７８が、第１充填材シート畝部３２の区域から伸びるように見えている。そのような雌側インデクサ７６および雄側インデクサ７８は、充填材シート装置内の付加的な同様の充填材シート共々、隣り合う第１充填材シート１０と第２充填材シート２０との間に間隔を置くのを補助する。
【００２７】
ここで図１１を参照すると、第１充填材シート・タブセパレータ８０が、充填材シート１０の略平坦な表面から上方へ伸びるように見えている。そのようなタブセパレータ８０は、直接熱交換器内において、隣り合う第２充填材シート２０や、充填材シート装置内の他の隣り合う充填材シートから第１充填材シート１０の間隔を開けるのを補助する。
【図１】
0006290409.tif 000002
【図２】
0006290409.tif 000003
【図３】
0006290409.tif 000004
【図４】
0006290409.tif 000005
【図５】
0006290409.tif 000006
【図６】
0006290409.tif 000007
【図７】
0006290409.tif 000008
【図８】
0006290409.tif 000009
【図９】
0006290409.tif 000010
【図１０】
0006290409.tif 000011
【図１０Ａ】
0006290409.tif 000012
【図１１】
0006290409.tif 000013